(57)【要約】      （修正有）【課題】マルチキャリア通信システムにおいてカバレージを動的に変更する技術を提供する。【解決手段】セクターは、セクター負荷が軽いときに、より少ない干渉が他のセクターにもたらされ得るように、その負荷に基づいて、所定のキャリアｋ上のカバレージを変更しても良い。一つのデザインにおいて、セクターは、第１の送信電力レベルで第１のキャリア上で通信し、そして、第１の送信電力レベルと等しいか又はそれより低い第２の送信電力レベルで第２のキャリア上で通信しても良い。セクターは、第２のキャリアのカバレージを変更するために、その負荷に基づいて、第２の送信電力レベルを変更しても良い。セクターは、セクター負荷が軽いならば、第２の送信電力レベルを０又は低いレベルに低減しても良い。セクターはまた、セクター負荷又はスイッチング・パターンの関数に基づいて、第２の送信電力レベルを変更しても良い。【選択図】図３
2014090457.tif 000002
【特許請求の範囲】
【請求項１】
無線通信のための方法において、
第１の送信電力レベルで第１のキャリア上で通信することと、
前記第１の送信電力レベルと等しいか又はそれより低い第２の送信電力レベルで第２のキャリア上で通信することと、
セクターの負荷に基づいて、前記第２のキャリアのための前記第２の送信電力レベルを変更することを含む方法。
【請求項２】
前記第２の送信電力レベルを前記変更することは、
前記セクターの前記負荷が軽いかどうか判定することと、
前記セクターの前記負荷が軽い場合に、前記第２の送信電力レベルを０に又は前記第１の送信電力未満の低レベルに低減することを含む請求項１の方法。
【請求項３】
前記セクターの前記負荷が軽いかどうか判定することは、前記セクターにおけるアクティブ端末の数が、予め定められた期間について、予め定められた数の端末未満である場合に、前記セクターの前記負荷が軽いと判定することを含む請求項２の方法。
【請求項４】
前記第２の送信電力レベルを前記低減することは、前記セクターの前記負荷が軽い場合に、前記第２のキャリアをターンオフするために前記第２の送信電力レベルを０に低減することを含む請求項２の方法。
【請求項５】
前記第２の送信電力レベルを前記変更することは、前記セクターの前記負荷の関数に基づいて、前記第２の送信電力レベルを変更する（該第２の送信電力レベルは、負荷が次第に軽くなるにつれて、次第に低くなる）ことを含む請求項１の方法。
【請求項６】
前記第２の送信電力レベルを前記変更することは、前記第２のキャリア上で高い送信電力を使用するタイミング及び低い送信電力を使用するタイミングを示すスイッチング・パターンに基づいて、前記第２の送信電力レベルを変更することを含む請求項１の方法。
【請求項７】
前記セクターの前記負荷に基づいて、前記スイッチング・パターンのデューティー・サイクルを判定することを更に含む請求項６の方法。
【請求項８】
前記セクターの予期される負荷に基づいて、前記スイッチング・パターンを選択することを更に含む請求項６の方法。
【請求項９】
前記セクターにおけるアクティブ端末の数、前記セクターの前記負荷に関する履歴情報及び時刻のうちの少なくとも一つに基づいて、前記セクターの前記負荷を判定することを更に含む請求項１の方法。
【請求項１０】
隣接するセクターのスイッチング・パターンを判定することと、
前記スイッチング・パターンに基づいて、前記隣接するセクターが前記第２のキャリア上の送信電力を低減するであろう休眠期間を判定することと、
前記隣接するセクターから高い干渉を観測している端末を識別することと、
前記休眠期間の間に前記第２のキャリア上で前記端末と通信することを更に含む請求項１の方法。
【請求項１１】
前記第２の送信電力レベルを前記変更することは、
低い送信電力から高い送信電力への移行のために前記第２の送信電力レベルをランプアップすることと、
高い送信電力から低い送信電力への移行のために前記第２の送信電力レベルをランプダウンすることを含む請求項１の方法。
【請求項１２】
前記第２の送信電力レベルを前記変更することは、前記第２の送信電力レベルに関して他のネットワーク実体又は他のセクターと通信することなしに、前記第２のキャリアのための前記第２の送信電力レベルを、前記セクターにより自立的に変更する請求項１の方法。
【請求項１３】
前記第２の送信電力レベルを前記変更することは、前記第２のキャリアのための前記第２の送信電力レベルを判定するために、前記セクターにより、ネットワーク実体又は隣接するセクターと通信する（前記第２の送信電力レベルは、前記隣接するセクターの負荷に更に基づいて変更される）ことを含む請求項１の方法。
【請求項１４】
前記第１の送信電力レベルと等しいか又はそれより低い第３の送信電力レベルで第３のキャリア上で通信することと、
前記セクターの前記負荷に基づいて、前記第３のキャリアのための前記第３の送信電力レベルを変更することを更に含む請求項１の方法。
【請求項１５】
無線通信のための装置において、
第１の送信電力レベルで第１のキャリア上で通信するための手段と、
前記第１の送信電力レベルと等しいか又はそれより低い第２の送信電力レベルで第２のキャリア上で通信するための手段と、
セクターの負荷に基づいて、前記第２のキャリアのための前記第２の送信電力レベルを変更するための手段とを含む装置。
【請求項１６】
前記第２の送信電力レベルを変更するための前記手段は、
前記セクターの前記負荷が軽いかどうか判定するための手段と、
前記セクターの前記負荷が軽い場合に、前記第２の送信電力レベルを０に又は前記第１の送信電力未満の低レベルに低減するための手段とを含む請求項１５の装置。
【請求項１７】
前記第２の送信電力レベルを変更するための前記手段は、前記セクターの前記負荷の関数に基づいて、前記第２の送信電力レベルを変更する（該第２の送信電力レベルは、負荷が次第に軽くなるにつれて、次第に低くなる）ための手段を含む請求項１５の装置。
【請求項１８】
前記第２の送信電力レベルを変更するための前記手段は、
前記第２のキャリア上で高い送信電力を使用するタイミング及び低い送信電力を使用するタイミングを示すスイッチング・パターンに基づいて、前記第２の送信電力レベルを変更するための手段と、
前記セクターの前記負荷に基づいて、前記スイッチング・パターンのデューティー・サイクルを判定するための手段とを含む請求項１５の装置。
【請求項１９】
隣接するセクターのスイッチング・パターンを判定するための手段と、
前記スイッチング・パターンに基づいて、前記隣接するセクターが前記第２のキャリア上の送信電力を低減するであろう休眠期間を判定するための手段と、
前記隣接するセクターから高い干渉を観測している端末を識別するための手段と、
前記休眠期間の間に前記第２のキャリア上で前記端末と通信するための手段とを更に含む請求項１５の装置。
【請求項２０】
無線通信のための装置において、
第１の送信電力レベルで第１のキャリア上で通信し、
前記第１の送信電力レベルと等しいか又はそれより低い第２の送信電力レベルで第２のキャリア上で通信し、
セクターの負荷に基づいて、前記第２のキャリアのための前記第２の送信電力レベルを変更するように構成された少なくとも一つのプロセッサを含む装置。
【請求項２１】
前記少なくとも一つのプロセッサは、
前記セクターの前記負荷が軽いかどうか判定し、
前記セクターの前記負荷が軽い場合に、前記第２の送信電力レベルを０に又は前記第１の送信電力未満の低レベルに低減するように構成された請求項２０の装置。
【請求項２２】
前記少なくとも一つのプロセッサは、
前記セクターの前記負荷の関数に基づいて、前記第２の送信電力レベルを変更する（該第２の送信電力レベルは、負荷が次第に軽くなるにつれて、次第に低くなる）ように構成された請求項２０の装置。
【請求項２３】
前記少なくとも一つのプロセッサは、
前記第２のキャリア上で高い送信電力を使用するタイミング及び低い送信電力を使用するタイミングを示すスイッチング・パターンに基づいて、前記第２の送信電力レベルを変更し、
前記セクターの前記負荷に基づいて、前記スイッチング・パターンのデューティー・サイクルを判定するように構成された請求項２０の装置。
【請求項２４】
前記少なくとも一つのプロセッサは、
隣接するセクターのスイッチング・パターンを判定し、
前記スイッチング・パターンに基づいて、前記隣接するセクターが前記第２のキャリア上の送信電力を低減するであろう休眠期間を判定し、
前記隣接するセクターから高い干渉を観測している端末を識別し、
前記休眠期間の間に前記第２のキャリア上で前記端末と通信するように構成された請求項２０の装置。
【請求項２５】
無線通信のための装置において、
少なくとも一つのコンピュータに、第１の送信電力レベルで第１のキャリア上で通信させるためのコードと、
前記少なくとも一つのコンピュータに、前記第１の送信電力レベルと等しいか又はそれより低い第２の送信電力レベルで第２のキャリア上で通信させるためのコードと、
前記少なくとも一つのコンピュータに、セクターの負荷に基づいて、前記第２のキャリアのための前記第２の送信電力レベルを変更させるためのコードとを含むコンピュータ読み取り可能な媒体を含むコンピュータ・プログラム製品。
【請求項２６】
第１のキャリア上での第１のセクターに関する第１の信号対雑音干渉比（ＳＩＮＲ）を取得することと、
第２のキャリア上で前記第１のセクターに関する第２のＳＩＮＲ（該第２のＳＩＮＲは、前記第１のセクターが、該第１のセクターの負荷に基づいて該第２のキャリア上の送信電力を変更していることによって、若しくは、第２のセクターが、該第２のセクターの負荷に基づいて該第２のキャリア上の送信電力を変更していることによって、又は、それらの両方によって、前記第１のＳＩＮＲとは異なっている）を取得することと、
前記第１及び第２のＳＩＮＲに基づいて、通信のための少なくとも一つのキャリアを選択することと、
前記少なくとも一つの選択されたキャリア上で前記第１のセクターと通信することを含む無線通信のための方法。
【請求項２７】
前記第２のＳＩＮＲは、前記第２のセクターが、該第２のセクターにおける軽い負荷に応答して前記第２のキャリア上の送信電力を低減していることによって、第１のＳＩＮＲより高くなっており、
前記第２のキャリアは、前記第２のＳＩＮＲが前記第１のＳＩＮＲより高いことに起因して、選択される請求項２６の方法。
【請求項２８】
前記第１のＳＩＮＲは、前記第１のセクターが、該第１のセクターにおける軽い負荷に応答して前記第２のキャリア上の送信電力を低減していることによって、前記第２のＳＩＮＲより高くなっており、
前記第１のキャリアは、前記第１のＳＩＮＲが前記第２のＳＩＮＲより高いことに起因して、選択される請求項２６の方法。
【請求項２９】
前記第１及び第２のキャリアが選択され、
データ伝送は、前記第１及び第２のキャリア上で、前記前記第１及び第２のＳＩＮＲにそれぞれ基づいて判定された前記第１及び第２のデータレートで送信される請求項２６の方法。
【請求項３０】
少なくとも一つの選択されたキャリアの各々に関するＳＩＮＲに基づいて、データレートを選択することと、
前記少なくとも一つの選択されたキャリア及び各々の選択されたキャリアに関する前記データレートを含むメッセージを、前記第１のセクターに送信することを含む請求項２６の方法。
【請求項３１】
前記第１のキャリアのための潜在的なサービング・セクターの第１のセットを判定することと、
前記第２のキャリアのための潜在的なサービング・セクターの第２のセット（該第１のセットは、該第２のセットとは異なっている）を判定することを含む請求項２６の方法。
【請求項３２】
無線通信のための装置において、
第１のキャリア上での第１のセクターに関する第１の信号対雑音干渉比（ＳＩＮＲ）を取得するための手段と、
第２のキャリア上で前記第１のセクターに関する第２のＳＩＮＲ（該第２のＳＩＮＲは、前記第１のセクターが、該第１のセクターの負荷に基づいて該第２のキャリア上の送信電力を変更していることによって、若しくは、第２のセクターが、該第２のセクターの負荷に基づいて該第２のキャリア上の送信電力を変更していることによって、又は、それらの両方によって、前記第１のＳＩＮＲとは異なっている）を取得するための手段と、
前記第１及び第２のＳＩＮＲに基づいて、通信のための少なくとも一つのキャリアを選択するための手段と、
前記少なくとも一つの選択されたキャリア上で前記第１のセクターと通信するための手段とを含む装置。
【請求項３３】
前記第２のＳＩＮＲは、前記第２のセクターが、該第２のセクターにおける軽い負荷に応答して前記第２のキャリア上の送信電力を低減していることによって、第１のＳＩＮＲより高くなっており、
前記第２のキャリアは、前記第２のＳＩＮＲが前記第１のＳＩＮＲより高いことに起因して、選択される請求項３２の装置。
【請求項３４】
前記第１のＳＩＮＲは、前記第１のセクターが、該第１のセクターにおける軽い負荷に応答して前記第２のキャリア上の送信電力を低減していることによって、前記第２のＳＩＮＲより高くなっており、
前記第１のキャリアは、前記第１のＳＩＮＲが前記第２のＳＩＮＲより高いことに起因して、選択される請求項３２の装置。
【請求項３５】
前記第１のキャリアのための潜在的なサービング・セクターの第１のセットを判定することと、
前記第２のキャリアのための潜在的なサービング・セクターの第２のセット（該第１のセットは、該第２のセットとは異なっている）を判定することを含む請求項３２の装置。
【発明の詳細な説明】
【技術分野】
【０００１】
本出願は、２００８年５月１６日付け提出され、本願の譲受人に譲渡され、参照によってり本明細書に組み込まれる「METHOD AND APPARATUS FOR ADAPTIVE MULTI-CARRIER WIRELESS COMMUNICATIONS」と題された米国仮出願第６１／０５４，０１９号の優先権を主張する。
【０００２】
本開示は、一般に通信に関し、より詳しくは無線通信システムにおいて通信するための技術に関する。
【背景技術】
【０００３】
無線通信システムは、様々な通信サービス（例えば、ボイス、ビデオ、パケット・データ、メッセージング、ブロードキャストなど）を提供するために、広く配置される。これらの無線システムは、利用できるシステム資源を共有することによって複数のユーザをサポートすることができる多元接続システムである場合がある。そのようなマルチアクセス・システムの例は、符号分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡ）システム及びシングルキャリアＦＤＭＡ（ＳＣ−ＦＤＭＡ）システムを含む。
【０００４】
無線通信システムは、多数の端末に関する通信をサポートできる多数の基地局を含み得る。該システムは、マルチキャリア上のオペレーションをサポートする場合がある。各々のキャリアは、特定の中心周波数及び特定のバンド幅に関連し得る。各々のキャリアは、キャリア上のオペレーションをサポートするために、パイロット及びオーバーヘッド情報を運ぶことがある。各々のキャリアはまた、キャリア上でオペレートしている端末のためにデータを運ぶことがある。各々のキャリア上の基地局からの伝送は、該キャリア上の他の基地局からの伝送に、干渉をもたらすことがあり、また、該キャリア上の他の基地局からの伝送から、干渉を観測することがある。干渉は、すべての影響を及ぼされた基地局のパフォーマンスに、不利に影響を与えるかもしれない。したがって、上記技術において、マルチキャリア通信システムにおいて干渉を軽減する技術が必要とされる。
【発明の概要】
【０００５】
マルチキャリア通信システムにおいて、干渉を軽減し、パフォーマンスを向上させるために、１又は複数のキャリア上でセクターのカバレージを動的に変化させるための技術が本明細書で説明される。セクターは、複数のキャリアの上でオペレートしても良い。所定のキャリアｋのセクターのカバレージは、該キャリアｋ上の送信電力を調整することによって、変化させられても良い。それは、キャリアｋ上の他のセクターに対する干渉の量を変更し得る。セクターの負荷が軽いときに、より少ない干渉が他のセクターにもたらされ得るように、セクターは、その負荷に基づいて、キャリアｋのカバレージを変化させても良い。
【０００６】
一つのデザインにおいて、セクターのための基地局は、第１の送信電力レベルで第１のキャリア上で通信しても良い（第１のキャリアは第１のカバレージを有する）。基地局は、第１の送信電力レベルと等しいか又はそれより低い第２の送信電力レベルで第２のキャリア上で通信しても良い（第２のキャリアは、第１のカバレージと等しいか又はそれより小さい第２のカバレージを有する）。基地局は、第２のキャリアの第２のカバレージを変更するために、第２セクターの負荷に基づいて、第２のキャリアのための第２の送信電力レベルを変更しても良い。
【０００７】
一つのデザインにおいて、基地局は、セクターの負荷が軽いならば、第２の送信電力レベルを０又は低いレベルに低減しても良い。基地局は、セクターにおけるアクティブ端末の数が、予め定められた時間の間、予め定められた端末数未満であるならば、負荷が軽いと判定しても良い。他のデザインにおいて、基地局は、セクターの負荷の関数に基づいて、第２の送信電力レベルを変更しても良い。第２の送信電力レベルは、セクター負荷が次第に軽くなるにつれて、次第に低くなるようにしても良い。さらにもう一つのデザインにおいて、基地局は、スイッチング・パターンに基づいて、高い送信電力と低い送信電力との間で、第２の送信電力レベルを変更しても良い。スイッチング・パターンのデューティー・サイクルは、セクターの負荷に基づいて判定されても良い。すべてのデザインについて、キャリアがターンオフ又はダウンされるとき、そのキャリア上でオペレートしている端末は、ターンオンされる他のキャリアの方へ移動させられても良い。
【０００８】
一つのデザインにおいて、端末は、複数のキャリア上のオペレーションをサポートしても良い。端末は、第１のキャリア上で第１のセクターに関する第１の信号対雑音干渉比（ＳＩＮＲ）を得ても良く、また、第２のキャリア上で第１のセクターに関する第２のＳＩＮＲを得ても良い。第２のＳＩＮＲは、（ｉ）第１のセクターが、該第１のセクターの負荷に基づいて第２のキャリア上でその送信電力を変更していること、及び／又は、（ｉｉ）第２のセクターが、該第２のセクターの負荷に基づいて第２のキャリア上でその送信電力を変更していることによって、第１のＳＩＮＲとは異なり得る。端末は、第１及び第２のＳＩＮＲに基づいて、通信のために、第１及び／又は第２のキャリアを選択しても良い。端末は、それから、選択された（１又は複数の）キャリア上で第１のセクターと通信しても良い。
【０００９】
本開示の様々な態様及び特徴が以下で更に詳細に説明される。
【図面の簡単な説明】
【００１０】
【図１】図１は、無線通信システムを示す。
【図２】図２は、マルチキャリア上の例示的な伝送を示す。
【図３】図３は、２つのセクターに関するキャリア上のＳＩＮＲ対送信電力のプロットを示す。
【図４】図４は、２つのセクターによるパイロット及びオーバーヘッド情報の伝送を示す。
【図５】図５は、キャリアに関する送信電力を調整するためのスイッチング・パターンを示す。
【図６】図６は、セクターに関する基地局による通信のための方法を示す。
【図７】図７は、端末による通信のための方法を示す。
【図８】図８は、基地局及び端末のブロック図を示す。
【詳細な説明】
【００１１】
本明細書で説明される技術は、様々な無線通信システム（例えば、ＣＤＭＡ、ＴＤＭＡ、ＦＤＭＡ、ＯＦＤＭＡ、ＳＣ−ＦＤＭＡ及び他のシステム）のために使用されても良い。用語“システム”及び“ネットワーク”はしばしば互換的に使用される。ＣＤＭＡシステムは、例えばｃｄｍａ２０００、ユニバーサル地上無線アクセス（ＵＴＲＡ）などのような無線技術を実装し得る。ｃｄｍａ２０００は、ＩＳ−２０００、ＩＳ−９５及びＩＳ−８５６標準をカバーする。ＩＳ−２０００リリース０及びＡは、一般に、ＣＤＭＡ２０００ １Ｘ、１Ｘなどと呼ばれる。ＩＳ−８５６は、一般に、ＣＤＭＡ２０００ １ｘＥＶ−ＤＯ、高速パケットデータ（ＨＲＰＤ）などと呼ばれる。ＵＴＲＡは、ワイドバンドＣＤＭＡ（ＷＣＤＭＡ（登録商標））及びＣＤＭＡの他の変形を含む。ＴＤＭＡシステムは、例えばグローバル移動体通信システム（ＧＳＭ（登録商標））のような無線技術を実装し得る。ＯＦＤＭＡシステムは、例えばウルトラ・モバイル・ブロードバンド（ＵＭＢ）、発展型ＵＴＲＡ（Evolved UTRA）（Ｅ−ＵＴＲＡ）、ＩＥＥＥ ８０２．１１（Ｗｉ−Ｆｉ）、ＩＥＥＥ ８０２．１６（ＷｉＭａｘ）、ＩＥＥＥ ８０２．２０、Ｆｌａｓｈ−ＯＦＤＭ（登録商標）などのような無線技術を実装し得る。ＵＴＲＡ及びＥ−ＵＴＲＡは、ユニバーサル移動通信システム（ＵＭＴＳ）の一部である。３ＧＰＰロングタームエボリューション（ＬＴＥ）及びＬＴＥ−Advanced（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ及びＧＳＭは、“第３世代パートナーシッププロジェクト”（３ＧＰＰ）と言う名前の団体からのドキュメントに記載されている。ｃｄｍａ２０００及びＵＭＢは、“第３世代パートナーシッププロジェクト２”（３ＧＰＰ２）という名前の団体からのドキュメントに記載されている。本明細書で説明される技術は、上記のシステム及び無線技術のためにも他のシステム及び無線技術のためにも使用されても良い。明確にするために、ＨＲＰＤについて本技術の特定の態様が下で説明される。
【００１２】
図１は、複数の基地局１１０をもつ無線通信システム１００を示す。基地局は、端末と通信する局であっても良く、アクセスポイント、Ｎｏｄｅ Ｂ、発展型Ｎｏｄｅ Ｂ（evolved Node B）（ｅＮＢ）などと呼ばれることもある。各々の基地局１１０は、特定の地理的エリアのための通信カバレージを提供しても良い。システム・キャパシティーを向上させるために、基地局の全体的なカバレージエリアは、複数の（例えば、３つの）より小さなエリアに分割されても良い。各々のより小さなエリアは、それぞれの基地局サブシステムによってサービスされても良い。３ＧＰＰにおいて、“セル”という用語は、基地局の最も小さなカバレージエリア及び／又はこのカバレージエリアをサービスする基地局サブシステムを指し示すことができる。３ＧＰＰ２において、“セクター”又は“セル−セクター”という用語は、基地局の最も小さなカバレージエリア及び／又はこのカバレージエリアをサービスする基地局サブシステムを指し示すことができる。明確にするために、“セル”の３ＧＰＰ２の概念が、下記の説明で使用される。基地局は、１又は複数の（例えば、３つの）セクターをサポートしても良い。
【００１３】
システム１００は、マクロ基地局のみを含んでも良いし、又は、異なるタイプ（例えば、マクロ、ピコ及び／又はフェムト基地局）の基地局を含んでも良い。マクロ基地局は、比較的広い地理的エリア（例えば、半径数キロメートル）をカバーしても良く、また、サービス登録（service subscription）をもつ端末による無制限のアクセスを可能にしても良い。ピコ基地局は、比較的小さな地理的エリア（例えば、ピコセル）をカバーしても良く、また、また、サービス登録（service subscription）をもつ端末による無制限のアクセスを可能にしてもよい。フェムト又はホーム基地局は、比較的小さな地理的エリア（例えば、フェムトセル）をカバーしても良く、また、該フェムトセルとの関連を持つ端末（例えば、ホームにおけるユーザのための端末）による制限されたアクセスを可能にしても良い。システム１００はまた、中継局（例えば、中継局１１０ｚ）を含んでも良い。本明細書で説明される技術は、あらゆるタイプの基地局のために使用されても良い。
【００１４】
ネットワーク・コントローラ１３０は、一組の基地局に接続され、基地局のための調整（coordination）及び制御を提供しても良い。ネットワーク・コントローラ１３０は、バックホールを介して、基地局と通信しても良い。基地局はまた、（例えば無線又は有線のバックホールを介して）互いに通信しても良い。
【００１５】
端末１２０は、システム１００の全体にわたって分散しても良く、また、各々の端末は、固定されたものであっても良いし或いはモバイルであっても良い。端末はまた、モバイル局、ユーザ装置（ＵＥ）、加入者ユニット、局などと呼ばれることがある。端末は、セルラー電話、携帯情報端末（ＰＤＡ）、無線モデム、無線通信デバイス、ハンドヘルド・デバイス、ラップトップ・コンピュータ、コードレス電話、ワイヤレスローカルループ（ＷＬＬ）局などであっても良い。端末は、順方向及び逆方向リンクを介して基地局と通信しても良い。順方向リンク（又はダウンリンク）は基地局から端末への通信リンクを指し示し、逆方向リンク（又はアップリンク）は端末から基地局への通信リンクを指し示す。図１において、二重の矢付きの実線は、端末とサービング・セクターとの間の要求される伝送を示す。二重の矢付きの点線は、端末と非サービング・セクターとの間の干渉する伝送を示す。
【００１６】
システム１００は、複数のキャリア上のオペレーションをサポートする。マルチキャリア送信機は、複数のキャリア上で同時に１又は複数の変調信号を送信することができる。各々の変調信号は、ＣＤＭＡ信号、ＴＤＭＡ信号、ＯＦＤＭＡ信号、ＳＣ−ＦＤＭＡ信号などであっても良い。一般に、各々の変調信号は、変調信号を生成するために使用される変調技術に依存し得る。各々の変調信号は、異なるキャリア上で送信されても良く、また、パイロット、オーバーヘッド情報、データなどを運んでも良い。パイロットは、送信機及び受信機によりアプリオリに知られており、基準信号、プリアンブルなどと呼ばれることもある。
【００１７】
図２は、Ｋ個のキャリア上でのＫ個の変調信号の例示的な伝送を示す。ここで、マルチキャリア・オペレーションについては、Ｋ＞１である。この例において、キャリア１は、ｆ１の中心周波数及びＢＷ１のバンド幅を有し、キャリア２は、ｆ２の中心周波数及びＢＷ２のバンド幅を有し、その他も同様であり、そして、キャリアＫは、ｆＫの中心周波数及びＢＷＫのバンド幅を有する。中心周波数は、一般的に、キャリア間干渉を低減するためにキャリアが十分に遠く離れて間隔をあけられるように、選択される。Ｋ個のキャリアは、同一のバンド幅（例えば、ｃｄｍａ２０００についての１．２２８８ＭＨｚ、ＷＣＤＭＡについての３．８４ＭＨｚ又はＩＥＥＥ ８０２．１１についての２０ＭＨｚ）を有しても良い。Ｋ個のキャリアはまた、異なるバンド幅を有しても良く、それらは設定可能（configurable）であっても良い。
【００１８】
Ｋ個の変調信号は、Ｋ個のキャリア上で送信されても良い。各々の変調信号は、送信機について許容可能な最大送信電力レベルまでにおいて、送信されても良い。最大送信電力レベルは、送信機が基地局であるか端末であるか、基地局タイプ（例えば、マクロ、ピコ又はフェムト）などに依存し得る。
【００１９】
システム１００は、一つの周波数再利用（frequency reuse of one）を使用しても良い。この場合、各々の基地局は、その基地局によりサービスされる各々のセクターについて、Ｋ個のキャリアすべての上で、最大送信電力レベルで送信しても良い。各々のキャリアはシステム中の各々のセクターにより使用されることができるので、これはシステム・キャパシティーを向上させ得る。しかし、所定のキャリアｋ上の所定のセクターＸからの伝送は、キャリアｋ上の他のセクターからの伝送に対する干渉として働く可能性がある。他のセクターは、セクターＸからの干渉の存在の下で、それらの伝送の信頼できる受信を確実にするために、キャリアｋ上で、より低いデータレートで、それらの伝送を送信する必要がある可能性がある。セクターＸからの伝送は、それゆえ、他のセクターのキャパシティーを犠牲にして、セクターＸのキャパシティーを増加させる可能性がある。
【００２０】
一つの態様において、１又は複数のキャリア上のセクターのカバレージは、システム・パフォーマンスを改善するために、動的に変更されても良い。セクターは、複数のキャリアの上でオペレートしても良い。セクターは、所定のキャリアｋ上での送信電力を調整すること（adjusting）によってキャリアｋのカバレージを変更しても良く、それはキャリアｋ上での他のセクターに対する干渉の量を変え得る。セクターは、セクター負荷が軽い場合により少ない干渉が他のセクターにもたらさせるように、その負荷に基づいてキャリアｋのカバレージを変更しても良い。それゆえ、セクターは、他のセクターのキャパシティーを向上させるために、必要でない場合に（その干渉と同様に）その能力を低減しても良い。
【００２１】
所定のキャリア上のセクターのカバレージは、該キャリアに関する受信信号品質の空間分布により定義され又は特徴付けられても良い。受信信号品質は、信号対雑音干渉比（signal-to-noise-and-interference ratio）（ＳＩＮＲ）、信号対雑音比（ＳＮＲ）、チップ当たりのエネルギー対総受信電力比（energy-per-chip-to- ratio）（Ｅｃ／Ｉｏ）、キャリア対総干渉比（carrier-to-total-interference ratio）（Ｃ／Ｉ）などによって定量化されても良い。明確にするために、ＳＩＮＲは下記の説明の大半で受信信号品質について使用される。そして、所定のキャリア上のセクターのカバレージは、空間ＳＩＮＲ分布により特徴付けられても良い。例えば、カバレージは、ＳＩＮＲが特定の確率で特定のＳＩＮＲ閾値を超える地理的エリアによって与えられても良い。ＳＩＮＲはデータレート又はスループットに関係するので、ＳＩＮＲ閾値は特定の最小データレートに対応しても良く、そして、それは満足できるパフォーマンスを得るように定義されても良い。
【００２２】
図３は、２つの基地局によりサービスされる２つのセクターＸ及びＹのための所定のキャリアｋ上のＳＩＮＲ対送信電力の例示的なプロットを示す。所定の端末によって達成されるＳＩＮＲは、（ｉ）サービング・セクターからの要求さるる伝送の受信電力、及び、（ｉｉ）他のセクターからの総干渉と雑音によって、判定されても良い。セクターの受信電力は、セクターにより使用される送信電力及び該セクターから端末への経路損失（pathloss）によって判定される。経路損失はｄ３〜ｄ５で増加し得る。ここで、ｄはセクターから端末までの距離である。経路損失は、伝播経路における人工及び／又は自然の障害物（obstructions）に起因するランダムな変化に支配され得る。
【００２３】
プロット３１０及び３１２は、セクターＸ及びＹが両方ともキャリアｋ上でＰＭＡＸの最大電力レベルで送信している場合に、キャリアｋ上の端末により達成されるＳＩＮＲを示す。プロット３１０は、セクターＸによりサービスされる端末に関するＳＩＮＲを、セクターＸに対する距離の関数として示す。ＳＩＮＲは、（ｉ）より大きな経路損失（それは、サービング・セクターＸについて、より低い受信電力をもたらす）、及び、（ｉｉ）非サービング・セクターからのより高い干渉によって、セクターＸから離れる距離がより大きくなるほど、減少する。同様に、プロット３１２は、セクターＹによりサービスされる端末に関するＳＩＮＲを、セクターＹに対する距離の関数として示す。ＳＩＮＲは、セクターＹから離れる距離がより大きくなるほど、減少する。各々のセクターのカバレージは、ＳＩＮＲがＳＩＮＲ閾値（ＳＩＮＲＴＨ）を超える地理的エリアによって与えられても良い。図３に示される例において、セクターＸのカバレージはセクターＸからｄＸ１までの距離であっても良く、また、セクターＹのカバレージはセクターＹからｄＹ１までの距離であっても良い。
【００２４】
プロット３２０及び３２２は、キャリアｋ上で、セクターＸがＰＬＯＷの低電力レベルで送信しており、また、セクターＹがＰＭＡＸの最大電力レベルで送信している場合に、キャリアｋ上の端末により達成されるＳＩＮＲを示す。プロット３２０は、セクターＸによりサービスされる端末に関するＳＩＮＲを、セクターＸに対する距離の関数として示す。同様に、プロット３２２は、セクターＹによりサービスされる端末に関するＳＩＮＲを、セクターＹに対する距離の関数として示す。
【００２５】
プロット３１０及び３２０で示すように、セクターＸのＳＩＮＲ分布及びカバレージは、キャリアｋ上のセクターＸの送信電力を低下させることによって、低減され得る。図３に示される例において、セクターＸのカバレージは、キャリアｋ上でのより低い送信電力レベルの使用によって、ｄＸ１からｄＸ２まで低減し得る。より低い送信電力レベルは、セクターＹに対する干渉を低減し得る。セクターＸは、依然として、セクターＸのより近くに位置する幾つかの端末にサービスすることができる。セクターＸによりサービスされる所定の端末について、キャリアｋ上でセクターＸによってより低い送信電力が使用される場合に、ＳＩＮＲ及びサポートされるデータレートは減少する。
【００２６】
プロット３１２及び３２２で示されるように、セクターＹのＳＩＮＲ分布及びカバレージは、セクターＸがキャリアｋ上でその送信電力を減少していることによって、改善し得る。図３に示される例において、セクターＹのカバレージは、キャリアｋ上でのセクターＸによるより低い送信電力レベルの使用によって、ｄＹ１を越えて増加し得る。改善されたカバレージは、特に、セクターＹのカバレージ・エッジの近くに位置する端末のために有益であり得る。セクターＹによりサービスされるセクター・エッジの端末は、より高いＳＩＮＲを達成し、より高いデータレートをサポートし得る。例えば、セクター・エッジの端末は、セクターＸ及びＹの両方がＰＭＡＸで送信している場合にセクターＸ及びＹについて等しい受信電力を有し、０ｄＢのＳＩＮＲを達成し得る。この端末は、セクターＸがキャリアｋ上でより低い（又は、０の）送信電力を使用していることによって、セクターＸに対する低い（又は、場合によって０の）受信電力とともに、より高いＳＩＮＲ（そして、場合によって、非常により高いＳＩＮＲ）を達成でき得る。
【００２７】
簡単にするために、図３は、２つのセクターＸ及びＹだけのカバレージ及びＳＩＮＲ分布を示す（セクターＸは、キャリアｋ上で異なる電力レベルで送信している）。一般に、カバレージ及びＳＩＮＲ分布は、任意の数のセクターについて判定されても良い。所定のセクターのカバレージ及びＳＩＮＲ分布は、他のセクターからの干渉に依存することがあり、言い換えると（in turn）、それはこれら他のセクターにより使用される送信電力に依存することがある。
【００２８】
所定のキャリアｋの所定のセクターＸのカバレージは、様々な方法で、動的に変更されても良い。動的なカバレージ調整（adjustment）の第１のデザインにおいて、セクターＸの負荷が軽いとき、キャリアｋは、シャットダウン（shut down）され又はターンオフ（turned off）されても良く、その送信電力は、０まで低減されても良く、そして、そのカバレージもまた、０まで低減されても良い。セクターは、一般的に、キャリア上のオペレーションをサポートするために、送信するデータがないときでさえ、キャリア上でパイロット及びオーバーヘッド情報を送信する。オーバーヘッド情報は、様々なシステム・パラメータを伝えるシステム情報、すべての端末に向けられたブロードキャスト情報、データ伝送をサポートするための制御情報などを含んでも良い。このキャリアがシャットダウンされている場合に、セクターＸは、パイロット、オーバーヘッド情報及びキャリアｋに関するデータを送信することを避けても良い。これは、結果として、セクターＸがキャリアｋ上で他のセクターへの干渉をもたらさないことになるであろう。
【００２９】
軽いセクター負荷は、様々な方法で定量化されても良い。一つのデザインにおいて、予め定められた期間の間、アクティブ端末がほとんど存在しない場合に、セクターＸは軽い負荷を有するとみなされても良い。ＨＲＰＤについて、アクティブ端末は、セクターＸを向いており、セクターＸに対する空でないキューを有する、端末であっても良い。アクティブ端末は、他のシステムについて、他の方法で定義されても良い。セクターＸにおけるアクティブ端末の数は、Ｎとして示されることがある。セクター負荷は、（ｉ）Ｎが、Ｔ分（minutes）の間、低い閾値（low threshold）より少ない場合に、軽いとみなされ、（ｉｉ）Ｎが、高い閾値（high threshold）より多い場合に、軽くないとみなされても良い。Ｔは任意の適当な値であっても良く、また、オンとオフとの間の急激な切り替えを避けるために、十分に長くても良い。高い閾値及び低い閾値はまた、任意の適当な値であっても良く、また、等しくても或いは等しくなくても良く、また、満足できるパフォーマンスを得るように選択されても良い。
【００３０】
他のデザインにおいて、セクター負荷は、そのセクターの負荷についての過去の知識（historical knowledge）に基づいて判定されても良い。負荷はまた、時刻（time of day）、週の日付（date of week）などに基づいて判定されても良い。例えば、セクターＸは、高速道路の一部分をカバーすることがあり、セクター負荷は、通勤時（commuting hours）の間は、重く、非通勤時（non-commuting hours）の間は、軽くても良い。他の例として、セクターＸは、住宅地域（residential area）をカバーすることがあり、セクター負荷は、晩の時間（evening hours）の間、重く、昼間の時間（daytime hours）の間、軽くても良い。
【００３１】
さらにもう一つのデザインにおいて、セクター負荷は、アクティブなセクター・エッジの端末の数に基づいて判定されても良い。アクティブ端末の大部分又は全てがセクターＸの近くに位置される場合に、セクター負荷は軽いとみなされても良く、キャリアｋの送信電力が低減されても良い。端末がセクターＸに対してどれくらい近くにあるかは、端末によりレポートされるパイロット強度に基づいて判定されても良い。レポートは、自立的に（autonomously）端末によって、又は、システムからのリクエストに応答して、生成されても良い。十分な数のアクティブ端末がセクターＸのカバレージ・エッジに位置する場合には、セクター負荷は軽くないとみなされても良く、セクターＸは、キャリアｋ上でＰＭＡＸで送信しても良い。セクター負荷はまた、他の方法で判定されても良い。
【００３２】
セクターＸは、その負荷が軽い場合にキャリアｋをターンオフし、その負荷が軽くない場合にキャリアｋをターンオンしても良い。名目上の一つの周波数再利用を伴うシステムについて、キャリアｋをターンオフすることは、周波数再利用を１より大きいものに効果的に変更する。それから、これは、キャリアｋ上での他のセクターのカバレージ及びＳＩＮＲ分布を改善し得る。
【００３３】
軽いセクター負荷の下でキャリアｋをターンオフすることは、キャリアｋをアイドル状態に保った上でシステム・パフォーマンスを改善し得る。上記したように、セクターＸは、キャリアｋ上で送信するデータがない場合でさえ、パイロット及びアイドル状態のキャリアｋに関するオーバーヘッド情報を送信しても良い。パイロット及びオーバーヘッド情報は、キャリアｋ上で他のセクターに干渉をもたらす可能性がある。干渉の量及びその影響は、パイロット及びオーバーヘッド情報がどのようにして送信されるかに依存し得る。
【００３４】
図４は、ＨＲＰＤにおける１つのキャリア上での２つのセクターＸ及びＹによるパイロット及びオーバーヘッド情報の例示的な伝送を示す。各々のセクターのための伝送スケジュールは、複数のスロットに分割されても良い（各々のスロットは、ＨＲＰＤでは、１．２２８８Ｍｃｐｓで１．６７ミリ秒（ｍｓ）の継続時間を有し、２０４８チップにわたる）。各々のスロットは、２つのハーフ・スロットに分割され、各々のハーフ・スロットは、パイロット・バーストを含む。２つのシグナリング・バースト（図４中で“ＭＡＣ”として示される）は、各々のパイロット・バーストの両側で送信される。各々のパイロット・バーストは９６チップにわたり、各々のシグナリング・バーストは６４チップにわたる。データは、各々のハーフ・スロットの残りの部分において送信されても良い。すべてのセクターは、同期されたフレーム・タイミングを有し、すべてのセクターのパイロット・バースト及びシグナリング・バーストは時間上で位置合わせされる（time aligned）。
【００３５】
図４に示される例において、セクターＹは、各々のスロットにおいてＰＭＡＸで送信する。セクターＸは、データの部分では送信しないが、各々のスロットにおいてＰＭＡＸでパイロット及びオーバーヘッド情報を送信する。セクターＹからのデータ伝送は、それゆえ、セクターＸからの干渉を観測しない。しかし、セクターＹからのパイロット伝送及びオーバーヘッド伝送は、セクターＸからの干渉を観測する。データ伝送及びパイロット伝送上の異なる量の干渉は、セクターＹのパフォーマンスに不利に影響を与える可能性がある。例えば、セクターＹにおける端末は、セクターＹからのパイロットに基づいてＳＩＮＲを推定しても良い。推定されたＳＩＮＲは、サービング・セクターを選択するために及びデータ伝送のためのデータレートを選択するために、使用されても良い。セクターＹからのパイロットは、セクターＸからのパイロットに起因して、高い干渉を観測する可能性があり、パイロットのＳＩＮＲはプア（poor）であってデータのＳＩＮＲを示さない可能性がある。それゆえに、サービング・セクター及びデータレートの選択は、最適状態に及ばない（suboptimal）可能性がある。このシナリオは、その負荷が軽い場合に、セクターＸにキャリアをターンオフさせ、パイロット及びオーバーヘッド情報を送信しないようにさせることによって、避けられ得る。
【００３６】
動的なカバレージ調整の第２のデザインにおいて、セクターＸの負荷が軽いとき、キャリアｋはターンダウンされても良く、その送信電力はより低いレベルに低減されても良く、そのカバレージは対応して低減されても良い。より低い送信電力レベルは、他のセクターに対する干渉を低減するように及びこれらセクターのカバレージ及びＳＩＮＲ分布が改善するように、十分に低くても良い。より低い送信電力レベルは、セクターＸが、依然として、キャリアｋ上でいくつかの端末（例えば、セクターＸのより近くに位置されるそれら）にサービスすることを可能にする。
【００３７】
一つのデザインにおいて、セクターＸの負荷が軽いとき、固定された、より低い送信電力レベルが、セクターＸにより使用されても良い。他のデザインにおいて、より低い送信電力レベルは設定可能であっても良く、また、セクターＸの負荷に依存していても良い。例えば、より低い送信電力レベルは、セクターＸの負荷に比例していても良い。
【００３８】
動的なカバレージ調整の第３のデザインにおいて、所定のキャリアｋ上の送信電力は、セクターＸの負荷に基づいて、時間的に変化する方法で、オンとオフ／ダウンとの間で切り替えられても良い。キャリアｋは、それゆえ、一部の期間、ターンオンされ、他の一部の期間、ターンオフ／ダウンされても良い。キャリアｋは、送信電力を０に低減することによってターンオフされても良いし、あるいは、送信電力をより低いレベルに低減することによってターンダウンされても良い。
【００３９】
図５は、時間的に変化する方法でキャリアｋの送信電力を調整するデザインを示す。このデザインにおいて、セクターＸは、ＴＯＮ１の期間の間、ＰＭＡＸでキャリアｋ上で送信し、それから、ＴＯＦＦ１の期間の間、キャリアｋをターンオフし、それから、ＴＯＮ１の期間の間、ＰＭＡＸでキャリアｋ上で送信し、そして、ＴＯＦＦ１の期間の間、キャリアｋをターンオフするなどである。セクターＹは、ＴＯＮ２の期間の間、ＰＭＡＸでキャリアｋ上で送信し、それから、ＴＯＦＦ２の期間の間、キャリアｋをターンオフし、それから、ＴＯＮ２の期間の間、ＰＭＡＸでキャリアｋ上で送信し、そして、ＴＯＦＦ２期間の間、キャリアｋをターンオフするなどである。
【数１】
2014090457.tif 000003
【００４０】
各々のセクターについて、キャリアｋのデューティー・サイクル（duty cycle）は、以下のように与えられても良い。
【数２】
2014090457.tif 000004
【００４１】
キャリアｋの各々のセクターの平均送信電力は、デューティー・サイクルに依存している（例えば、比例している）。各々のセクターは、より小さなデューティー・サイクルを選択することによって、キャリアｋ上でその平均送信電力を低減しても良い。各々のセクターは、それゆえ、そのセクターの負荷に基づいて、デューティー・サイクルを選択しても良い。
【００４２】
一般に、サイクルの継続期間ＴＣＹＣＬＥは、固定されていても良いし、各々のセクターごとに設定可能であっても良い。異なるセクターのサイクルは、時間上で位置合わせされても良く（図５に示されていない）、時間上で位置合わせされなくても良い（図５に示されるように）。オンの継続期間ＴＯＮは、固定されていても良いし、各々のセクターごとに設定可能であっても良い。オンの継続期間及びサイクルの継続期間は、オンとオフ／ダウンとの間でキャリアｋを急激に切り替えることを避けるために、十分に長くても良い。図５に示されていないが、セクターは、キャリアｋをターンオフ／ダウンするとき、その送信電力をゆっくりランプダウン（ramp down）しても良く、また、キャリアｋをターンオンするとき、その送信電力をゆっくりランプアップ（ramp up）しても良い。ゆっくりしたランプダウン及びランプアップは、他のセクターが、フェーディングと類似する方法において、該セクターによる送信電力の変化を、説明することを可能にし得る。
【００４３】
一つのデザインにおいて、セクターは、その負荷が軽いときは、１未満（例えば、０．５）の固定デューティー・サイクルを使用しても良く、また、その負荷が軽くないときは、常に、送信しても良い。他のデザインにおいて、セクターは、設定可能なデューティー・サイクルを使用しても良く、それは、セクターの負荷に基づいて（例えば、比例して）選択されても良い。例えば、セクター負荷が次第に軽くなるにつれて、デューティー・サイクルが１から０まで動いても良い。
【００４４】
一つのデザインにおいて、各々のセクターは、キャリアｋをいつターンオン及びターンオフ／ダウンすべきかについて、自立的に判定しても良い。各々のセクターは、キャリアｋをいつターンオンすべきか及びキャリアｋをいつターンオフ／ダウンすべきかを示すスイッチング・パターンに基づいて、キャリアｋをターンオン及びターンオフ／ダウンしても良い。他のデザインにおいて、セクターは、各々のセクターがいつ及び／又はどれくらい長くキャリアｋをターンオフ／ダウンすべきかを、バックホールを介して通信して調整（coordinate）しても良い。セクターは、隣接するセクターのスイッチング・パターンを得ても良く、そして、それに応じて、その端末をスケジュールしても良い（例えば、隣接するセクターがキャリアｋをオフ／ダウンするときに、キャリアｋ上でその端末をスケジュールした）。各々のセクターのスイッチング・パターンは、そのセクターの負荷に基づいて選択されても良い。スイッチング・パターンは、周期的であっても良く、また、固定されたオンの継続期間及び固定されたオフ／ダウンの継続期間を有しても良い（例えば、図５で示されるように）。スイッチング・パターンは、非周期的であっても良く、また、可変のオンの継続期間及び／又は可変のオフ／ダウンの継続期間を有しても良い。さらにもう一つのデザインにおいて、指定されたネットワーク実体（例えば、図１中のネットワーク・コントローラ１３０）は、それらの負荷を示しているセクターからのレポートを受信しても良く、そして、各々のセクターに、各々のキャリア上で、その送信電力を、ターンオン又はターンオフ／ダウンするように命令しても良い。指定されたネットワーク実体は、セクター間干渉が低減されることができるように、それらセクターのためにオン／オフ／ダウンのインストラクションを判定しても良い。
【００４５】
時間的に変化する方法でキャリアｋをオン及びオフ／ダウンに切り替えることは、隣接するセクターがキャリアｋをターンオフ／ダウンするとき、各々のセクターにおける端末が、一部の期間、より良いＳＩＮＲを観測する結果をもたらす可能性がある。オポチューニスティック・スケジューリング（opportunistic scheduling）について、セクターは、隣接するセクターがキャリアｋをターンオフ／ダウンするとき、そのカバレージ・エッジの端末をスケジュールしても良い。例えば、セクターＸは、セクターＹがキャリアｋをターンオフ／ダウンするとき、継続期間の間、そのカバレージ・エッジの端末を、スケジュールしても良い。同様に、セクターＹは、セクターＸがキャリアｋをターンオフ／ダウンするとき、継続期間の間、そのカバレージ・エッジの端末を、スケジュールしても良い。
【００４６】
図５は、セクターＸ及びＹがキャリアｋをターンオン及びターンオフ／ダウンするデザインを示す。他のデザインにおいて、セクターＸは、キャリアｋをターンオン及びターンオフ／ダウンしても良く、また、セクターＹは、常に、キャリアｋをターンオンしても良い。
【００４７】
セクターＸは、キャリアｋ上で１又は複数の端末をサービスしても良く、また、例えば軽い負荷に起因して、キャリアｋをオフ／ダウンすることに決めても良い。セクターＸは、（ｉ）セクターＸによってターンオンされる他のキャリアに対して、又は、（ｉｉ）キャリアｋ上でオペレートしている他のセクターに対して、キャリアｋ上でオペレートしている各々の端末をハンドオフしても良い。
【００４８】
端末は、Ｋ個の利用可能なキャリアの中の１又は複数のキャリアの上でオペレートすることができる場合がある。サービング・セクター及びキャリアは、Ｋ個のキャリア上で該端末に潜在的にサービスできる全てのセクターについての該端末により達成されるＳＩＮＲに基づいて、該端末のために選択されても良い。各々の潜在的なサービング・セクターについて、端末は、各々の利用可能なキャリア上で、そのセクターのＳＩＮＲを推定しても良い。端末は、異なるセクターによる異なるキャリア上での異なる送信電力レベルの使用によって、所定のセクターの異なるキャリアに対して、異なるＳＩＮＲを有する可能性がある。
【００４９】
一つのデザインにおいて、端末は、全てのキャリア上の全てのセクターに対するＳＩＮＲに基づいて、サービング・セクター及びキャリアを選択しても良い。選択されたセクターの選択されたキャリアは、全てのセクター及び全てのキャリアに対するＳＩＮＲの間で最高のＳＩＮＲを有しても良い。例えば、端末は、例えばルックアップ・テーブルに基づいて、選択されたキャリア上の選択されたセクターのＳＩＮＲを、データレートにマッピングしても良い。端末は、選択されたデータレートを含むメッセージを、（例えば、ＨＲＰＤにおけるデータレート制御（ＤＲＣ）チャネル上で）選択されたセクターに送信しても良い。そして、選択されたセクターは、選択されたキャリア上のデータ伝送について、該端末をスケジュールしても良い。
【００５０】
他のデザインにおいて、端末は、サービング・セクターを有しても良く、また、サービング・セクターにパイロット測定レポートを送信しても良い。パイロット測定レポートは、チャネル品質表示（ＣＱＩ）情報（それは全てのセクター及びキャリアに関するＳＩＮＲの量子化されたバージョンを含んでもよい）を含んでも良い。サービング・セクターは、ＣＱＩ情報に基づいて、端末のためにキャリアを選択しても良い。他のサービング・セクターが、同様に、ＣＱＩ情報に基づいて、端末のために選択されても良い。いずれにしても、端末は、選択されたキャリア上でサービング・セクター（又は新しいサービング・セクター）によってデータ伝送についてスケジュールされても良い。
【００５１】
一つのデザインにおいて、端末は、各々のキャリアのために一組の潜在的なサービング・セクターを有していても良く、それは、アクティブ・セット、候補セット、セクター・セットなどと呼ばれることがある。各々のキャリアについて、新しいセクターは、キャリア上の該セクターに関するＳＩＮＲが十分に高い場合に、アクティブ・セットに加えられても良く、また、既存のセクターは、キャリア上の該セクターに関するＳＩＮＲが十分に低い場合に、アクティブ・セットから削除されても良い。一つのデザインにおいて、端末は、すべてのＫキャリアについてアクティブ・セットを維持しても良い。他のデザインにおいて、システムは、端末からのパイロット測定レポートに基づいて、該端末のために全てのＫ個のキャリアについてアクティブ・セットを維持しても良い。いずれにしても、サービング・セクター及びキャリアは、アクティブ・セットにおける潜在的なサービング・セクターの中から該端末のために選択されても良い。
【００５２】
図６は、無線通信システムにおいて通信する方法６００のデザインを示す。プロセス６００は、セクターのための基地局によって（下記のように）、又は、何らかの他の実体（例えば、端末）によって、実行されても良い。基地局は、第１の送信電力レベル（例えば、ＰＭＡＸ）で第１のキャリア（第１のキャリアは第１のカバレージを有する）の上で通信しても良い（ブロック６１２）。基地局は、第１の送信電力レベルと等しいか又はそれより低い第２の送信電力レベルで第２のキャリア上で通信しても良い（ブロック６１４）。第２のキャリアは、第１のカバレージと等しいか又はそれより小さい第２のカバレージを有しても良い。基地局は、第２のキャリアのカバレージを変化させるために、セクターの負荷に基づいて、第２のキャリアに対する第２の送信電力レベルを変更しても良い（ブロック６１６）。
【００５３】
基地局はまた、第１の送信電力レベルと等しいか又はそれより低い第３の送信電力レベルで第３のキャリア上で通信しても良い。第３のキャリアは、第１のカバレージと等しいか又はそれより小さい第３のカバレージを有しても良い。基地局は、第３のキャリアのカバレージを変化させるために、セクターの負荷に基づいて、第３のキャリアに対する第３の送信電力レベルを変更しても良い。一般に、基地局は、任意の数のキャリアの上で通信しても良く、また、セクターの負荷に基づいて、１又は複数のキャリアの送信電力を変更しても良い。
【００５４】
一つのデザインにおいて、ブロック６１２について、基地局は、第１の送信電力レベルで第１のキャリア上で１又は複数の端末にデータ伝送を送信しても良い。ブロック６１４について、基地局は、第２の送信電力レベルで第２のキャリア上で１又は複数の端末にデータ伝送を送信しても良い。他のデザインにおいて、ブロック６１２について、基地局は、第１の送信電力レベルで第１のキャリア上で１又は複数の端末により送信されるデータ伝送を受信しても良い。ブロック６１４について、基地局は、第２の送信電力レベルで第２のキャリア上で１又は複数の端末により送信されるデータ伝送を受信しても良い。両方のデザインについて、基地局は、異なるキャリア上で異なる端末にサービスしても良い。基地局はまた、所定の端末に複数のキャリア上でサービスしても良い。
【００５５】
ブロック６１６の一つのデザインにおいて、セクターの負荷が軽いならば、基地局は、第２のキャリアをターンオフするために、第２の送信電力レベルを０に低減しても良い。他のデザインにおいて、セクターの負荷が軽いならば、基地局は、第２の送信電力レベルを、第１の送信電力レベルを下回る低いレベルに低減しても良い。両方のデザインについて、基地局は、セクターにおけるアクティブ端末の数が、予め定められた期間の間、予め定められた端末数未満であるならば、セクターの負荷が軽いと判定しても良い。基地局はまた、何らかの他の基準に基づいてセクター負荷が軽いと判定しても良い。さらにもう一つのデザインにおいて、基地局は、セクターの負荷の関数に基づいて、第２の送信電力レベルを変更しても良い。第２の送信電力レベルは、セクター負荷が次第に軽くなるにつれて、次第に低くなるようにしても良い。基地局は、セクターのアクティブ端末の数、セクターの負荷に関する履歴情報（historical information）、時刻及び／又は他の情報に基づいて、セクターの負荷を判定しても良い。
【００５６】
ブロック６１６のさらにもう一つのデザインにおいて、基地局は、第２のキャリア上でいつ高い送信電力（例えば、ＰＭＡＸ）を使用すべきか及びいつ低い送信電力（例えば、ＰＬＯＷ又は０）を使用すべきかを示すスイッチング・パターンに基づいて、第２の送信電力レベルを変更しても良い（例えば図５で示されるように）。基地局は、セクターの負荷に基づいて、スイッチング・パターンのデューティー・サイクルを判定しても良い。基地局はまた、セクターの予期される負荷（例えば、その日の時刻）などに基づいて、スイッチング・パターンを選択しても良い。
【００５７】
一つのデザインにおいて、オポチューニスティック・スケジューリングが実行されても良い。基地局は、他の基地局における隣接するセクターのスイッチング・パターンを判定しても良い。基地局は、隣接するセクターがスイッチング・パターンに基づいて第２のキャリア上でその送信電力を低減するであろうときに、休眠期間（quiet period）を判定しても良い。基地局は、隣接するセクターから高い干渉を観測している端末を識別しても良く、また、休眠期間の間、第２のキャリア上で端末と通信しても良い（例えば、該端末へのスケジュール・データ伝送）。
【００５８】
一つのデザインにおいて、基地局は、低い送信電力から高い送信電力への移行のために、第２の送信電力レベルをランプアップしても良い。基地局は、高い送信電力から低い送信電力への移行のために、第２の送信電力レベルをランプダウンしても良い。このランプアップ及びランプダウンは、隣接するセクターに対する送信電力の変更の悪影響を軽減し得る。
【００５９】
一つのデザインにおいて、基地局は、第２のキャリアのための第２の送信電力レベルに関して他のネットワーク実体又は他のセクターと通信することなく、該第２の送信電力レベルを自立的に変更しても良い。他のデザインにおいて、基地局は、第２のキャリアのための第２の送信電力レベルを判定するために、ネットワーク実体又は隣接するセクターと通信しても良い。第２の送信電力レベルは、隣接するセクターの負荷に更に基づいて、変更されても良い。例えば、そのセクターが軽い負荷を有し及び／又は隣接するセクターが重い負荷を有する場合に、第２の送信電力レベルが低減されても良い。
【００６０】
図７は、無線通信システムにおいて通信する方法７００のデザインを示す。プロセス７００は、端末によって（下記のように）、又は、何らかの他の実体によって、実行されても良い。端末は、第１のキャリア上で第１のセクターに関する第１のＳＩＮＲを得ても良い（ブロック７１２）。端末は、第２のキャリア上で第１のセクターに関する第２のＳＩＮＲを得ても良い（ブロック７１４）。第２のＳＩＮＲは、（ｉ）第１のセクターが、該第１のセクターの負荷に基づいて第２のキャリア上でその送信電力を変更していること、及び／又は、（ｉｉ）第２のセクターが、該第２のセクターの負荷に基づいて第２のキャリア上でその送信電力を変更していることによって、第１のＳＩＮＲとは異なり得る。端末は、第１及び第２のＳＩＮＲに基づいて、通信のために少なくとも一つのキャリアを選択しても良い（ブロック７１６）。２つを超えるキャリアが利用可能であっても良い。この場合、端末は、各々のキャリアごとにＳＩＮＲを得ても良く、また、通信のために少なくとも一つのキャリア（例えば、最も高いＳＩＮＲをもつキャリア）を選択しても良い。いずれにしても、端末は、少なくとも一つの選択されたキャリアの上で、第１のセクターと通信しても良い（ブロック７１８）。
【００６１】
ブロック７１６について、第２のＳＩＮＲは、例えば第２のセクターが、該第２のセクターにおける軽い負荷に応答して第２のキャリア上でその送信電力を低減していることによって、第１のＳＩＮＲより高い場合がある。端末は、それから、第２のＳＩＮＲが第１のＳＩＮＲより高いことに起因して、第２のキャリアを選択しても良い。あるいは、第１のＳＩＮＲは、例えば第１のセクターが、該第１のセクターにおける軽い負荷に応答して第２のキャリア上でその送信電力を低減していることによって、第２のＳＩＮＲより高い場合がある。端末は、それから、第１のＳＩＮＲが第２のＳＩＮＲより高いことに起因して、第１のキャリアを選択しても良い。端末はまた、第１及び第２のキャリアを選択しても良い。いずれにしても、データ伝送は、第１及び／又は第２のキャリア上で、それぞれ第１及び第２のデータレートで送信されても良い。第１及び第２のデータレートは、それぞれ第１及び第２のＳＩＮＲに基づいて判定されても良い。
【００６２】
一つのデザインにおいて、端末は、各々の選択されたキャリアに関するＳＩＮＲに基づいてデータレートを選択しても良い。端末は、少なくとも一つの選択されたキャリア及び各々の選択されたキャリアに関するデータレートを含むメッセージを、第１のセクターに送信しても良い。ブロック７１８について、端末は、各々の選択されたキャリア上で、選択されたデータレート（又はより低いデータレート）で、第１のセクターにより送信されるデータ伝送を受信しても良い。
【００６３】
一般に、任意の数のキャリアが利用可能であっても良い。端末は、同時に複数のキャリア上でオペレートすることができるマルチキャリア端末であっても良い。端末は、各々のキャリアの上で第１のセクターに関するＳＩＮＲを判定しても良い。所定のキャリアｋ上での第１のセクターに関するＳＩＮＲが低い（例えば、特定の閾値未満である）場合に、端末は、幾つかのオプションを有しても良い。第１に、端末は、キャリアｋ上で、より高いＳＩＮＲをもつ他のセクターを選択しても良い。第２に、端末は、キャリアｋ上に、そのＳＩＮＲが十分に高い他のセクターが存在しない場合に、キャリアｋ上でサービスされなくても良い。例えば、第１のセクターがキャリアｋ上で（例えば、軽い負荷のため）その送信電力を０又は低レベルに低減する場合に、端末は、キャリアｋ上でそれ以上サービスされない場合があるが、残りのキャリア上でサービスされ続ける可能性がある。
【００６４】
一つのデザインにおいて、端末は、第１のキャリアのために潜在的なサービング・セクターの第１のセットを判定しても良い。端末はまた、第２のキャリアのために潜在的なサービング・セクターの第２セットを判定しても良い。第１のセットは、例えば１又は複数のセクターが、それらセクターの負荷に基づいて第１又は第２のキャリア上でそれらの送信電力を変更していることによって、第２セットと異なることがある。端末は、ＳＩＮＲの測定結果（measurements）に基づいて、第１及び第の２セットを更新しても良い。あるいは、端末は、ＳＩＮＲの測定結果を、システムにレポートしても良く、また、第１及び第２のセットとともに提供されても良い。いずれにしても、端末は、第１及び第２のセットに基づいて、サービング・セクター及びキャリアを選択しても良い。
【００６５】
図８は、基地局１１０及び端末１２０のデザインのブロック図を示す。それらは、図１中の基地局のうちの一つ及び端末のうちの一つであっても良い。基地局１１０において、送信（ＴＸ）データプロセッサ８１２は、データ伝送のためにスケジュールされる端末についてデータ・ソース８１０からデータを受け取り、コントローラ／プロセッサ８２０からオーバーヘッド情報を受け取っても良い。ＴＸデータプロセッサ８１２は、各々の端末のためのデータを、その端末のために選択されるデータレートに基づいて処理（例えば、符号化、インターリーブ、変調）して、すべての端末についてデータ・シンボルを得ても良い。ＴＸデータプロセッサ８１２はまた、オーバーヘッド情報を処理して、オーバーヘッド・シンボルを取得しても良い。ＴＸデータプロセッサ８１２は、更に、データ・シンボル、オーバーヘッド・シンボル及びパイロット・シンボルを処理して（例えば、ＣＤＭＡ、ＯＦＤＭＡなどのために）、出力サンプルを生成しても良い。送信機（ＴＭＴＲ）８１４は、出力サンプルを処理（例えば、アナログへの変換、増幅、フィルタリング及び周波数アップコンバート）して、順方向リンク信号を生成しても良い。そして、順方向リンク信号は、アンテナ８１６を介して端末へ送信されても良い。
【００６６】
端末１２０において、アンテナ８５２は、基地局１１０及び／又は他の基地局から順方向リンク信号を受信しても良い。受信機（ＲＣＶＲ）８５４は、アンテナ８５２から受信した信号を処理して、入力サンプルを供給しても良い。受信（ＲＸ）データプロセッサ８５６は、受信シンボルを得るために、入力サンプルを処理しても良い（例えば、ＣＤＭＡ、ＯＦＤＭＡなどのために）。ＲＸデータプロセッサ８５６は、更に、受信シンボルを処理（例えば、復調、デインターリーブ、復号化）して、端末１２０のための復号化データをデータ・シンク８５８に供給し、また、復号化オーバーヘッド情報をコントローラ／プロセッサ８６０に供給しても良い。
【００６７】
端末１１０において、ＴＸデータプロセッサ８７２は、データ・ソース８７０からデータを受け取り、コントローラ／プロセッサ８６０から制御情報（例えば、データレート・リクエスト、ＣＱＩ情報など）を受け取っても良い。ＴＸデータプロセッサ８７２は、データ及び制御情報を処理して、出力サンプルを生成しても良い。送信機８７４は、出力サンプルを処理して、逆方向リンク信号を生成しても良い。そして、逆方向リンク信号は、アンテナ８５２を介して基地局１１０に送信されても良い。
【００６８】
基地局１１０において、アンテナ８１６は、端末１２０及び／又は他の端末から逆方向リンク信号を受信しても良い。受信機８３０は、アンテナ８１６からの受信信号を処理して、入力サンプルを供給しても良い。ＲＸデータプロセッサ８３２は、入力サンプルを処理して、各々の端末のための復号化データをデータ・シンク８３４に供給し、また、復号化制御情報をコントローラ／プロセッサ８２０に供給しても良い。
【００６９】
コントローラ／プロセッサ８２０及び８６０は、それぞれ、基地局１１０及び端末１２０におけるオペレーションを指示しても良い。基地局１１０におけるコントローラ／プロセッサ８２０及び／又は他のモジュールは、図６中のプロセス６００及び／又は本明細書で説明される技術のための他のプロセスを、実行又は指示しても良い。端末１２０におけるコントローラ／プロセッサ８６０及び／又は他のモジュールは、図６中のプロセス６００、図７中のプロセス７００及び／又は本明細書で説明される技術のための他のプロセスを、実行又は指示しても良い。メモリ８２２及び８６２は、それぞれ、基地局１１０及び端末１２０のためのプログラム・コード及びデータを記憶しても良い。スケジューラ８２４は、順方向及び／又は逆方向リンク上のデータ伝送のために端末をスケジュールしても良い。
【００７０】
情報及び信号は、いろいろな異なるテクノロジー及びテクニックの任意のものを用いて表現可能であることを、当業者は理解できるであろう。例えば、上記説明の間に参照される、データ、インストラクション、コマンド、情報、信号、ビット、シンボル、及び、チップは、電圧、電流、電磁波、磁場若しくは磁性粒子（magnetic fields or particles）、光場若しくは光学粒子（optical fields or particles）、又はそれらの任意の組み合わせにより表現可能である。
【００７１】
本明細書での開示に関連して説明された、各種の説明する論理ブロック、モジュール、回路、及び、アルゴリズムのステップは、電子回路用ハードウェア、コンピュータソフトウェア、又は、それらの組み合わせとして、実装されても良いことを、当業者はさらに理解できるであろう。このハードウェア及びソフトウェアの互換性をめいりょうに説明するために、各種の説明するコンポーネント、ブロック、モジュール、回路、及びステップが、一般に、それらの機能性の観点で、前述された。当該の機能性は、システム全体に課される特定のアプリケーション及びデザインの制約に応じて、ハードウェア又はソフトウェアとして実装される。当業者は、説明された機能性を、各々のアプリケーションのためのさまざまな方法で実装しても良いが、当該の実装の決定は、本開示の範囲からの逸脱をもたらすものとして説明されるべきではない。
【００７２】
本明細書での開示に関連して説明された、種々の説明に役立つ、論理ブロック、モジュール、及び回路は、汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラマブルロジックデバイス、個別ゲート又はトランジスタロジック、個別のハードウェアコンポーネント、又は本明細書で説明された機能を実行するようにデザインされた任意のそれらの組み合わせで実装されても良い。汎用プロセッサは、マイクロプロセッサであっても良いが、代わりに、プロセッサは、任意の従来のプロセッサ、コントローラ、マイクロコントローラ、又はステートマシンであっても良い。プロセッサはまた、コンピュータデバイスの組み合わせ、例えば、ＤＳＰとマイクロプロセッサとの組合せ、複数のマイクロプロセッサ、ＤＳＰコアと連結する１つ又は複数のマイクロプロセッサ、又は、他のそのような構成、として実装されても良い。
【００７３】
本明細書での開示に関連して説明された方法又はアルゴリズムのステップは、直接、ハードウェアにより具体化されても良いし、プロセッサにより実行されるソフトウェアモジュールにより具体化されても良いし、又は、それら二つの組合せにより具体化されても良い。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、又は当該技術分野において周知の任意の他のフォームの記憶媒体に存在しても良い。例示的な記憶媒体は、プロセッサがその記憶媒体から情報を読み込み、また、それへ情報を書き込むことができるように、そのプロセッサに接続される。代わりに、記憶媒体は、プロセッサに一体化されていても良い。プロセッサ及び記憶媒体は、ＡＳＩＣにおいて存在してもよい。ＡＳＩＣは、ユーザ端末に存在しても良い。代案では、プロセッサ及び記憶媒体は、ユーザ端末の個別のコンポーネントとして存在しても良い。
【００７４】
一つ又は複数の例示的なデザインにおいて、説明される機能は、ハードウェア、ソフトウェア、ファームウェア、又はそれらの任意の組み合わせにより実行されても良い。ソフトウェアで実装される場合には、機能は、コンピュータ読み取り可能な媒体に、１又は複数のインストラクション又はコードとして、格納され又は伝送されても良い。コンピュータ読み取り可能な媒体は、或る場所から他の場所へのコンピュータ・プログラムの転送を容易にする任意の媒体を含むコンピュータ記憶媒体及び通信媒体の両方を含む。記憶媒体は、汎用コンピュータ又は専用コンピュータによってアクセスできる任意の利用可能な媒体であっても良い。制限ではなく、例として、上記コンピュータ読み取り可能な媒体は、ＲＡＭ、ＲＯＭ、ＥＥＰＲＯＭ、ＣＤ−ＲＯＭ、他の光ディスク記憶装置、磁気ディスク記憶装置若しくは他の磁気記憶装置、又は、インストラクション若しくはデータ構造の形で所望のプログラム・コード手段を伝えるか若しくは記憶するのに使用でき、且つ、汎用若しくは専用コンピュータ又は汎用若しくは専用プロセッサによってアクセスできる任意の他の媒体を含むことができる。また、任意のコネクション（connection）は、適切にコンピュータ読み取り可能な媒体と呼ばれる。例えば、同軸ケーブル、光ファイバーケーブル、ツイストペア、デジタル加入者線（ＤＳＬ）、又は、例えば赤外線、無線、マイクロ波のような無線技術を使用することによって、ウェブサイト、サーバ、又は他のリモートソースからソフトウェアが送信される場合に、その同軸ケーブル、光ファイバーケーブル、ツイストペア、ＤＳＬ、又は、例えば赤外線、無線、マイクロ波のような無線技術は、媒体の定義に含まれる。本明細書で用いられるディスク（Disk）及びディスク（disc）は、コンパクトディスク（ＣＤ）、レーザーディスク（登録商標）、光ディスク、デジタルバーサタイルディスク（ＤＶＤ）、フロッピー（登録商標）ディスク及びブルーレイディスク（登録商標）を含む。ここで、ディスク（disks）は、通常、磁気的にデータを複製（reproduce）し、一方、ディスク（discs）は、レーザーを使って光学的にデータをさせる。上記の組み合わせはまた、コンピュータ読み取り可能な媒体の範囲の中に含まれるべきである。
【００７５】
本開示の前の説明は、当業者が本開示を製造又は使用できるようにするために提供される。本開示への種々の変形は、当業者には容易に明白になるであろう。また、本明細書で定義された一般的な原理は、本開示の精神又は範囲から逸脱することなく、他のバリエーションに適用されても良い。それゆえ、本開示は、本明細書で示された例及びデザインに限定されることが意図されているのではなく、本明細書に開示された原理及び新規な特徴に合致する最も広い範囲を与えられることが意図されている。
【図１】
2014090457.tif 000005
【図２】
2014090457.tif 000006
【図３】
2014090457.tif 000007
【図４】
2014090457.tif 000008
【図５】
2014090457.tif 000009
【図６】
2014090457.tif 000010
【図７】
2014090457.tif 000011
【図８】
2014090457.tif 000012
【手続補正書】
【提出日】平成25年12月27日(2013.12.27)
【手続補正１】
【補正対象書類名】特許請求の範囲
【補正対象項目名】全文
【補正方法】変更
【補正の内容】
【特許請求の範囲】
【請求項１】
無線通信のための方法において、
第１の送信電力レベルで第１のキャリア上で通信することと、
前記第１の送信電力レベルと等しいか又はそれより低い第２の送信電力レベルで第２のキャリア上で通信することと、
セクターの負荷に基づいて、前記第２のキャリアのための前記第２の送信電力レベルを変更することを含む方法。
【手続補正２】
【補正対象書類名】明細書
【補正対象項目名】００７５
【補正方法】変更
【補正の内容】
【００７５】
本開示の前の説明は、当業者が本開示を製造又は使用できるようにするために提供される。本開示への種々の変形は、当業者には容易に明白になるであろう。また、本明細書で定義された一般的な原理は、本開示の精神又は範囲から逸脱することなく、他のバリエーションに適用されても良い。それゆえ、本開示は、本明細書で示された例及びデザインに限定されることが意図されているのではなく、本明細書に開示された原理及び新規な特徴に合致する最も広い範囲を与えられることが意図されている。
以下に、本願出願の当初の特許請求の範囲に記載された発明を付記する。
〔１〕
無線通信のための方法において、
第１の送信電力レベルで第１のキャリア上で通信することと、
前記第１の送信電力レベルと等しいか又はそれより低い第２の送信電力レベルで第２のキャリア上で通信することと、
セクターの負荷に基づいて、前記第２のキャリアのための前記第２の送信電力レベルを変更することを含む方法。
〔２〕
前記第２の送信電力レベルを前記変更することは、
前記セクターの前記負荷が軽いかどうか判定することと、
前記セクターの前記負荷が軽い場合に、前記第２の送信電力レベルを０に又は前記第１の送信電力未満の低レベルに低減することを含む〔１〕の方法。
〔３〕
前記セクターの前記負荷が軽いかどうか判定することは、前記セクターにおけるアクティブ端末の数が、予め定められた期間について、予め定められた数の端末未満である場合に、前記セクターの前記負荷が軽いと判定することを含む〔２〕の方法。
〔４〕
前記第２の送信電力レベルを前記低減することは、前記セクターの前記負荷が軽い場合に、前記第２のキャリアをターンオフするために前記第２の送信電力レベルを０に低減することを含む〔２〕の方法。
〔５〕
前記第２の送信電力レベルを前記変更することは、前記セクターの前記負荷の関数に基づいて、前記第２の送信電力レベルを変更する（該第２の送信電力レベルは、負荷が次第に軽くなるにつれて、次第に低くなる）ことを含む〔１〕の方法。
〔６〕
前記第２の送信電力レベルを前記変更することは、前記第２のキャリア上で高い送信電力を使用するタイミング及び低い送信電力を使用するタイミングを示すスイッチング・パターンに基づいて、前記第２の送信電力レベルを変更することを含む〔１〕の方法。
〔７〕
前記セクターの前記負荷に基づいて、前記スイッチング・パターンのデューティー・サイクルを判定することを更に含む〔６〕の方法。
〔８〕
前記セクターの予期される負荷に基づいて、前記スイッチング・パターンを選択することを更に含む〔６〕の方法。
〔９〕
前記セクターにおけるアクティブ端末の数、前記セクターの前記負荷に関する履歴情報及び時刻のうちの少なくとも一つに基づいて、前記セクターの前記負荷を判定することを更に含む〔１〕の方法。
〔１０〕
隣接するセクターのスイッチング・パターンを判定することと、
前記スイッチング・パターンに基づいて、前記隣接するセクターが前記第２のキャリア上の送信電力を低減するであろう休眠期間を判定することと、
前記隣接するセクターから高い干渉を観測している端末を識別することと、
前記休眠期間の間に前記第２のキャリア上で前記端末と通信することを更に含む〔１〕の方法。
〔１１〕
前記第２の送信電力レベルを前記変更することは、
低い送信電力から高い送信電力への移行のために前記第２の送信電力レベルをランプアップすることと、
高い送信電力から低い送信電力への移行のために前記第２の送信電力レベルをランプダウンすることを含む〔１〕の方法。
〔１２〕
前記第２の送信電力レベルを前記変更することは、前記第２の送信電力レベルに関して他のネットワーク実体又は他のセクターと通信することなしに、前記第２のキャリアのための前記第２の送信電力レベルを、前記セクターにより自立的に変更する〔１〕の方法。
〔１３〕
前記第２の送信電力レベルを前記変更することは、前記第２のキャリアのための前記第２の送信電力レベルを判定するために、前記セクターにより、ネットワーク実体又は隣接するセクターと通信する（前記第２の送信電力レベルは、前記隣接するセクターの負荷に更に基づいて変更される）ことを含む〔１〕の方法。
〔１４〕
前記第１の送信電力レベルと等しいか又はそれより低い第３の送信電力レベルで第３のキャリア上で通信することと、
前記セクターの前記負荷に基づいて、前記第３のキャリアのための前記第３の送信電力レベルを変更することを更に含む〔１〕の方法。
〔１５〕
無線通信のための装置において、
第１の送信電力レベルで第１のキャリア上で通信するための手段と、
前記第１の送信電力レベルと等しいか又はそれより低い第２の送信電力レベルで第２のキャリア上で通信するための手段と、
セクターの負荷に基づいて、前記第２のキャリアのための前記第２の送信電力レベルを変更するための手段とを含む装置。
〔１６〕
前記第２の送信電力レベルを変更するための前記手段は、
前記セクターの前記負荷が軽いかどうか判定するための手段と、
前記セクターの前記負荷が軽い場合に、前記第２の送信電力レベルを０に又は前記第１の送信電力未満の低レベルに低減するための手段とを含む〔１５〕の装置。
〔１７〕
前記第２の送信電力レベルを変更するための前記手段は、前記セクターの前記負荷の関数に基づいて、前記第２の送信電力レベルを変更する（該第２の送信電力レベルは、負荷が次第に軽くなるにつれて、次第に低くなる）ための手段を含む〔１５〕の装置。
〔１８〕
前記第２の送信電力レベルを変更するための前記手段は、
前記第２のキャリア上で高い送信電力を使用するタイミング及び低い送信電力を使用するタイミングを示すスイッチング・パターンに基づいて、前記第２の送信電力レベルを変更するための手段と、
前記セクターの前記負荷に基づいて、前記スイッチング・パターンのデューティー・サイクルを判定するための手段とを含む〔１５〕の装置。
〔１９〕
隣接するセクターのスイッチング・パターンを判定するための手段と、
前記スイッチング・パターンに基づいて、前記隣接するセクターが前記第２のキャリア上の送信電力を低減するであろう休眠期間を判定するための手段と、
前記隣接するセクターから高い干渉を観測している端末を識別するための手段と、
前記休眠期間の間に前記第２のキャリア上で前記端末と通信するための手段とを更に含む〔１５〕の装置。
〔２０〕
無線通信のための装置において、
第１の送信電力レベルで第１のキャリア上で通信し、
前記第１の送信電力レベルと等しいか又はそれより低い第２の送信電力レベルで第２のキャリア上で通信し、
セクターの負荷に基づいて、前記第２のキャリアのための前記第２の送信電力レベルを変更するように構成された少なくとも一つのプロセッサを含む装置。
〔２１〕
前記少なくとも一つのプロセッサは、
前記セクターの前記負荷が軽いかどうか判定し、
前記セクターの前記負荷が軽い場合に、前記第２の送信電力レベルを０に又は前記第１の送信電力未満の低レベルに低減するように構成された〔２０〕の装置。
〔２２〕
前記少なくとも一つのプロセッサは、
前記セクターの前記負荷の関数に基づいて、前記第２の送信電力レベルを変更する（該第２の送信電力レベルは、負荷が次第に軽くなるにつれて、次第に低くなる）ように構成された〔２０〕の装置。
〔２３〕
前記少なくとも一つのプロセッサは、
前記第２のキャリア上で高い送信電力を使用するタイミング及び低い送信電力を使用するタイミングを示すスイッチング・パターンに基づいて、前記第２の送信電力レベルを変更し、
前記セクターの前記負荷に基づいて、前記スイッチング・パターンのデューティー・サイクルを判定するように構成された〔２０〕の装置。
〔２４〕
前記少なくとも一つのプロセッサは、
隣接するセクターのスイッチング・パターンを判定し、
前記スイッチング・パターンに基づいて、前記隣接するセクターが前記第２のキャリア上の送信電力を低減するであろう休眠期間を判定し、
前記隣接するセクターから高い干渉を観測している端末を識別し、
前記休眠期間の間に前記第２のキャリア上で前記端末と通信するように構成された〔２０〕の装置。
〔２５〕
無線通信のための装置において、
少なくとも一つのコンピュータに、第１の送信電力レベルで第１のキャリア上で通信させるためのコードと、
前記少なくとも一つのコンピュータに、前記第１の送信電力レベルと等しいか又はそれより低い第２の送信電力レベルで第２のキャリア上で通信させるためのコードと、
前記少なくとも一つのコンピュータに、セクターの負荷に基づいて、前記第２のキャリアのための前記第２の送信電力レベルを変更させるためのコードとを含むコンピュータ読み取り可能な媒体を含むコンピュータ・プログラム製品。
〔２６〕
第１のキャリア上での第１のセクターに関する第１の信号対雑音干渉比（ＳＩＮＲ）を取得することと、
第２のキャリア上で前記第１のセクターに関する第２のＳＩＮＲ（該第２のＳＩＮＲは、前記第１のセクターが、該第１のセクターの負荷に基づいて該第２のキャリア上の送信電力を変更していることによって、若しくは、第２のセクターが、該第２のセクターの負荷に基づいて該第２のキャリア上の送信電力を変更していることによって、又は、それらの両方によって、前記第１のＳＩＮＲとは異なっている）を取得することと、
前記第１及び第２のＳＩＮＲに基づいて、通信のための少なくとも一つのキャリアを選択することと、
前記少なくとも一つの選択されたキャリア上で前記第１のセクターと通信することを含む無線通信のための方法。
〔２７〕
前記第２のＳＩＮＲは、前記第２のセクターが、該第２のセクターにおける軽い負荷に応答して前記第２のキャリア上の送信電力を低減していることによって、第１のＳＩＮＲより高くなっており、
前記第２のキャリアは、前記第２のＳＩＮＲが前記第１のＳＩＮＲより高いことに起因して、選択される〔２６〕の方法。
〔２８〕
前記第１のＳＩＮＲは、前記第１のセクターが、該第１のセクターにおける軽い負荷に応答して前記第２のキャリア上の送信電力を低減していることによって、前記第２のＳＩＮＲより高くなっており、
前記第１のキャリアは、前記第１のＳＩＮＲが前記第２のＳＩＮＲより高いことに起因して、選択される〔２６〕の方法。
〔２９〕
前記第１及び第２のキャリアが選択され、
データ伝送は、前記第１及び第２のキャリア上で、前記前記第１及び第２のＳＩＮＲにそれぞれ基づいて判定された前記第１及び第２のデータレートで送信される〔２６〕の方法。
〔３０〕
少なくとも一つの選択されたキャリアの各々に関するＳＩＮＲに基づいて、データレートを選択することと、
前記少なくとも一つの選択されたキャリア及び各々の選択されたキャリアに関する前記データレートを含むメッセージを、前記第１のセクターに送信することを含む〔２６〕の方法。
〔３１〕
前記第１のキャリアのための潜在的なサービング・セクターの第１のセットを判定することと、
前記第２のキャリアのための潜在的なサービング・セクターの第２のセット（該第１のセットは、該第２のセットとは異なっている）を判定することを含む〔２６〕の方法。
〔３２〕
無線通信のための装置において、
第１のキャリア上での第１のセクターに関する第１の信号対雑音干渉比（ＳＩＮＲ）を取得するための手段と、
第２のキャリア上で前記第１のセクターに関する第２のＳＩＮＲ（該第２のＳＩＮＲは、前記第１のセクターが、該第１のセクターの負荷に基づいて該第２のキャリア上の送信電力を変更していることによって、若しくは、第２のセクターが、該第２のセクターの負荷に基づいて該第２のキャリア上の送信電力を変更していることによって、又は、それらの両方によって、前記第１のＳＩＮＲとは異なっている）を取得するための手段と、
前記第１及び第２のＳＩＮＲに基づいて、通信のための少なくとも一つのキャリアを選択するための手段と、
前記少なくとも一つの選択されたキャリア上で前記第１のセクターと通信するための手段とを含む装置。
〔３３〕
前記第２のＳＩＮＲは、前記第２のセクターが、該第２のセクターにおける軽い負荷に応答して前記第２のキャリア上の送信電力を低減していることによって、第１のＳＩＮＲより高くなっており、
前記第２のキャリアは、前記第２のＳＩＮＲが前記第１のＳＩＮＲより高いことに起因して、選択される〔３２〕の装置。
〔３４〕
前記第１のＳＩＮＲは、前記第１のセクターが、該第１のセクターにおける軽い負荷に応答して前記第２のキャリア上の送信電力を低減していることによって、前記第２のＳＩＮＲより高くなっており、
前記第１のキャリアは、前記第１のＳＩＮＲが前記第２のＳＩＮＲより高いことに起因して、選択される〔３２〕の装置。
〔３５〕
前記第１のキャリアのための潜在的なサービング・セクターの第１のセットを判定することと、
前記第２のキャリアのための潜在的なサービング・セクターの第２のセット（該第１のセットは、該第２のセットとは異なっている）を判定することを含む〔３２〕の装置。
【外国語明細書】
2014090457000001.pdf